(57)【要約】【課題】取付け面に合わせた多種多様な穴埋め材を用意したり、把手に特別な加工を施したりする必要もない取替えによる把手取付け構造を提供する。【解決手段】取付け面（６）に設けられた少なくとも１個以上の旧把手取付け穴（８）を跨いで取替え用の把手本体（１）を架設し、該把手本体（１）を把手取付け部材（１２）を介して取付け面（６）に取付けるとともに、旧把手取付け穴（８）と把手本体（１）との間に把手支持部材（２）を介在固定して、旧把手取付け穴（８）を隠蔽するとともに、把手本体（１）を支持したことを特徴とする。【選択図】      図１
2004316373.tif 000002
【特許請求の範囲】
【請求項１】
取付け面に設けられた少なくとも１個以上の旧把手取付け穴を跨いで取替え用の把手本体を架設し、該把手本体を把手取付け部材を介して取付け面に取付けるとともに、旧把手取付け穴と把手本体との間に把手支持部材を介在固定して、旧把手取付け穴を隠蔽するとともに、把手本体を支持したことを特徴とする取替えによる把手取付け構造。
【請求項２】
把手支持部材は、把手取付け部材と同一または略同一の形状を有することを特徴とする請求項１の取替えによる把手取付け構造。
【請求項３】
把手支持部材の少なくとも一方の側面にへこみ部を設けてなることを特徴とする請求項１または２の取替えによる把手取付け構造。
【発明の詳細な説明】
【０００１】
【発明の属する技術分野】
この出願の発明は、取替えによる把手取付け構造に関するものである。さらに詳しくは、この出願の発明は、取付け面に合わせた多種多様な穴埋め材を用意したり、把手に特別な加工を施したりする必要もない取替えによる把手取付け構造に関するものである。
【０００２】
【従来の技術】
従来より、図５（Ａ）（Ｂ）に例示したように、リフォーム等に際して、小さな旧把手（５）を大きな新たな把手（７）に取替える場合には、既存の旧把手（５）を取外した後に、新たな別の把手（７）を取付けると、前記の既存の旧把手（５）を取付けていた旧把手取付け穴（８）が残存して、露出してしまい、見栄えが悪いという問題があった。かかる問題を解決するため、この旧把手取付け穴（８）に、扉表面や引き出し前板表面等の把手の取付け面（６）の色、柄等に合わせた穴埋め材（８１）を充填して旧把手取付け穴（８）を塞いでいた。
【０００３】
また、把手本体の内側に設けられた溝に補強プレートが具備された把手（たとえば、特許文献１）が知られている。このような把手を利用して、補強プレートにて旧把手取付け穴を塞ぐことも考えられる。
【０００４】
【特許文献１】
実開昭５９−１８４５３７号公報
【０００５】
【発明が解決しようとする課題】
しかしながら、上記図５に例示したような把手の取替えでは、数多くの色、柄が存在する扉や引き出し前板等の取付け面（６）に意匠的に適合することのできる多種多様な穴埋め材（８１）を用意する必要があるという問題があった。
【０００６】
また、特許文献１に例示したような把手を利用して旧把手取付け穴を塞ぐ場合には、把手本体の内側に補強プレートを取付けるための溝を設ける必要があり、把手に特別な加工を施す必要があるという問題があった。
【０００７】
そこでこの出願の発明は、以上のとおりの事情に鑑みてなされたものであって、従来の問題点を解消し、取付け面に合わせた多種多様な穴埋め材を用意したり、把手に特別な加工を施したりする必要もない取替えによる把手取付け構造を提供することを課題としている。
【０００８】
【課題を解決するための手段】
この出願の発明は、上記の課題を解決する手段として、第１には、取付け面に設けられた少なくとも１個以上の旧把手取付け穴を跨いで取替え用の把手本体を架設し、該把手本体を把手取付け部材を介して取付け面に取付けるとともに、旧把手取付け穴と把手本体との間に把手支持部材を介在固定して、旧把手取付け穴を隠蔽するとともに、把手本体を支持したことを特徴とする取替えによる把手取付け構造を提供する。
【０００９】
またこの出願の発明は、第２には、把手支持部材は、把手取付け部材と同一または略同一の形状を有することを特徴とする取替えによる把手取付け構造を提供し、そして第３には、把手支持部材の少なくとも一方の側面にへこみ部を設けてなることを特徴と取替えによる把手取付け構造を提供する。
【００１０】
【発明の実施の形態】
この出願の発明は上記のとおりの特徴をもつものであるが、以下、その実施の形態について詳しく説明する。
【００１１】
図１はこの出願の発明の一実施形態を例示した分解斜視図であるが、この図１に沿って説明すると、新たに取付けられる取替え用の把手本体（１）は、棒状体（１１）よりなり、把手取付け部材（１２）を介して扉表面や引き出し前板表面等の取付け面に裏面から固定具（３）で取付け固定される。そして、このような把手本体（１）に、把手支持部材（２）が少なくとも１個以上設置取付けられ、安定性と利便性等を考慮すると、２個の把手支持部材（２）が設置されることが好ましい。なお、この出願における取付け面は、扉や引き出し前板等に限定されるものではなく、たとえば、壁等でもよい。
【００１２】
この把手支持部材（２）は、把手本体（１）と当接して把手本体（１）を支持する当接面（２１）および扉、引き出し前板等の取付け面と当接する当接面（２２）とを備えている。当接面（２１）の形状は、把手本体（１）の棒状体（１１）部分の形状と合致または略合致する形状であれば、特に限定されるものではなく、平面状、湾曲状、溝状等が例示できる。これによって、把手本体（１）と把手支持部材（２）とが緊密に当接する。そして当接面（２２）を介して、固定具（４）によって把手支持部材（２）が取付け面に取付けられる。
【００１３】
なお、固定具（３）（２３）は、ビスやねじ等各種のものを使用することができる。またこの把手支持部材（２）の取付けの際に、把手支持部材（２）によって、既存の旧把手取付け穴を隠蔽するとともに、旧把手取付け穴を利用して固定具（３）（２３）にて取付けることもできる。さらにまた、たとえば、ずれ等が生じにくくするため把手支持部材（２）と当接面（２１）（２２）に、ゴム材やシリコン材等の摩擦係数が大きい材質のものを貼付してもよい。
【００１４】
図２は、把手の取替え前と取替え後を比較して例示した模式図である。（Ａ）は取替え前、（Ｂ）は取替え後を例示している。
【００１５】
図２（Ａ）に例示した既存の旧把手（５）を扉や引き出し前板等の取付け面（６）から取り外し、図２（Ｂ）に例示したように、取付け面（６）に設けられた少なくとも１個以上（図２においては、１個）の旧把手取付け穴（８）を跨いで、取替え用の把手本体（１）を架設し、該把手本体（１）を把手支持部材（２）を介して、取付け面（６）の裏面から固定具で取付ける。把手支持部材（２）は、取付け面（６）に設けられた旧把手取付け穴（８）と把手本体（１）との間に介在させて固定具にて固定し、該把手支持部材（２）にて旧把手取付け穴（８）を隠蔽するとともに、把手本体（１）を支持している。
【００１６】
図３は、この出願の発明の別の実施形態を例示した分解斜視図である。この図３では、把手支持部材（２）は、把手取付け部材（１２）と同一または略同一の形状を有している。このような特徴をもつ把手支持部材（２）を利用した把手取付け構造では、把手取付け部材（１２）と把手支持部材（２）との意匠性における統一感が生まれ、外観性が向上するため好ましい。
【００１７】
図４は、この出願の発明のさらに別の実施形態を例示した分解斜視図である。この図４に例示したとおり把手支持部材（２）には、把手支持部材（２）の少なくとも一方の側面（図４においては、中央側の側面）に曲面状のへこみ部（２３）が設けられている。このへこみ部（２３）によって、把手本体（１）が握りやすくなり、また手をかけやすくなる。また、図４に例示した２つの把手支持部材（２）それぞれのへこみ部（２３）は、互いに中央内側方向に対面しているため、把手本体（１）の握りやすさや手のかけやすさ等の利便性がさらに向上している。もちろん、このへこみ部（２３）の形状は、特に限定されるものではなく、曲面状や凹状等が例示できる。
【００１８】
この出願の発明の取付け構造に用いられる把手本体（１）、把手支持部材（１２）、把手支持部材（２）等は以上の例示に限られることはない。たとえば、把手支持部材（１２）や把手支持部材（２）等をステンレススチール等の金属類、木質系や樹脂等の各種の素材とすることや各種の塗装・加工処理を施すこともできる。また、この出願の発明に用いられる把手本体（１）では、たとえば円棒状や角棒状等その大きさや形状等、その細部の形態において様々に可能であることは言うまでもない。
【００１９】
【発明の効果】
以上詳しく説明したとおり、この出願の発明によって、取付け面に合わせた多種多様な穴埋め材を用意したり、把手に特別な加工を施したりする必要もない取替えによる把手取付け構造が提供される。
【図面の簡単な説明】
【図１】この出願の発明の一実施形態を例示した分解斜視図である。
【図２】この出願の発明の把手取付け構造における把手の取付け前と取付け後とを比較して例示した斜視図である。
【図３】この出願の発明の別の実施形態を例示した分解斜視図である。
【図４】この出願の発明のさらに別の実施形態を例示した分解斜視図である。
【図５】従来における把手の取付け前と取付け後とを比較して例示した斜視図である。
【符号の説明】
１    把手本体
１１  棒状部
１２  把手取付け部材
２    把手支持部材
２１、２２  当接面
２３  へこみ部
３、４    固定具
５    旧把手
６    取付け面
７    把手
８    旧把手取付け穴
８１  穴埋め材
【図１】
2004316373.tif 000003
【図２】
2004316373.tif 000004
【図３】
2004316373.tif 000005
【図４】
2004316373.tif 000006
【図５】
2004316373.tif 000007